(57)【要約】  多数のデジタルオーディオファイルに適した歌詞を提供するシステムが紹介されている。そのシステムは、少なくとも一つの端末機、サーバー、及びデータベースサーバーを含む。前記端末機は、多数のデジタルオーディオファイルの中から任意のデジタルオーディオファイルを選択し、選択されたデジタルオーディオファイルに適した歌詞データを受信するためにタグ情報を伝送する。サーバーは、前記端末機から受信されたデジタルオーディオファイルのタグ情報を用いて、当該デジタルオーディオファイルに対して割り当てられた歌詞データを検索し、検索された歌詞データを端末機へ伝送する。データベースサーバーは、サーバーからの要請に応えて特定の歌詞データを伝送し、多数のデジタルオーディオファイルそれぞれに対して予め同期化されている歌詞データを格納する。
2007522591.tif 000002
【特許請求の範囲】
【請求項１】
多数のデジタルオーディオファイルの中から任意のデジタルオーディオファイルを選択し、選択されたデジタルオーディオファイルのＩＤタグ情報及び再生時間情報を含むタグ情報を伝送するための少なくとも一つの端末機と、前記端末機から受信されたデジタルオーディオファイルのタグ情報を用いて、当該デジタルオーディオファイルに適した歌詞データを検索し、検索された歌詞データを端末機に伝送するためのサーバーと、多数のデジタルオーディオファイルそれぞれに対して予め同期化されており、各デジタルファイルのＩＤタグ情報及び再生時間情報に基づいて分類されている歌詞データを格納し、前記サーバーからの要請に応えて特定の歌詞データを伝送するためのデータベースサーバーとを含むことを特徴とする、デジタルオーディオファイルの歌詞提供システム。
【請求項２】
前記端末機は、
格納された多数のデジタルオーディオファイルの中から任意のデジタルオーディオファイルを選択するためのオーディオファイル選択モジュールと、
選択されたデジタルオーディオファイルからタグ情報を抽出するためのタグ情報検出モジュールと、
前記タグ情報検出モジュールによって抽出されたタグ情報をインターネットを介してサーバーに伝送し、サーバーから歌詞データの伝送を受けるためのデータ伝送モジュールと、
前記サーバーから伝送された歌詞データを当該デジタルオーディオファイルとリンクさせるための歌詞データリンクモジュールとを含むことを特徴とする、請求項１に記載のデジタルオーディオファイルの歌詞提供システム。
【請求項３】
前記サーバーは、
端末機から伝送されたタグ情報を受信し且つ端末機に歌詞データファイルを伝送するためのデータ伝送モジュールと、
前記データ伝送モジュールから入力されるタグ情報を読み出すためのタグ情報確認モジュールと、
前記タグ情報確認モジュールで確認されたタグ情報に対応する歌詞データをデータベースサーバーから検索するための歌詞データ検出モジュールとを含むことを特徴とする、請求項１に記載のデジタルオーディオファイルの歌詞提供システム。
【請求項４】
前記サーバーは、前記端末機から伝送されたタグ情報にＩＤタグ情報がない場合、曲名／歌手データを前記端末機に伝送するための曲名／歌手データ伝送モジュールをさらに含み、
前記端末機は、前記サーバーから受信された曲名／歌手データを用いてユーザが曲名／歌手を選択して前記サーバーへ伝送し得るようにするための曲名／歌手データ伝送モジュールをさらに含むことを特徴とする、請求項１に記載のデジタルオーディオファイルの歌詞提供システム。
【請求項５】
前記端末機は、ＭＰ３プレーヤーと接続され、ＭＰ３プレーヤーに格納されているＭＰ３オーディオファイルを選択し、歌詞データの伝送を受けることを特徴とする、請求項１〜４のいずれか１項に記載のデジタルオーディオファイルの歌詞提供システム。
【請求項６】
前記ＭＰ３プレーヤーは、端末機とＵＳＢポート、シリアルポート、ＩＥＥＥ １３９４ポート、またはブルートゥースなどの無線通信を用いて接続されることを特徴とする、請求項５に記載のデジタルオーディオファイルの歌詞提供システム。
【請求項７】
前記端末機は、インターネット通信網を介して接続されたコンピュータまたはサーバーに格納されているデジタルオーディオファイルを選択し、歌詞データの伝送を受けることを特徴とする、請求項１に記載のデジタルオーディオファイルの歌詞提供システム。
【発明の詳細な説明】
【技術分野】
【０００１】
本発明は、デジタルオーディオファイルの歌詞提供システムに係り、さらに具体的には、デジタルオーディオファイルそれぞれに正確に同期化された歌詞データを提供することが可能なデジタルオーディオファイルの歌詞提供システムに関する。
【背景技術】
【０００２】
デジタル技術の発達により、一般なオーディオＣＤからオーディオファイルを抽出してＭＰ３、ｒｍ、ｗｍａ（以下、「ＭＰ３」という）などのデジタルオーディファイルに変調することが容易になった。このように変調されたＭＰ３ファイルは、通信網を介して容易にダウンロードまたはアップロードすることができる。
【０００３】
特にデジタルオーディオファイルは、そのファイルサイズが小さいため、従来のオーディオＣＤと比較するとき、ＣＤに一層多くの曲を格納することができるという利点を持っている。さらに、フラッシュメモリを用いた小型のメモリスティックなどの記憶装置を採用することにより、既存のオーディオＣＤプレーヤーは急速にＭＰ３プレーヤーに取って代わりつつある。
【０００４】
また、ＭＰ３などのデジタルオーディオファイルは、既存のオーディオＣＤとは異なり、歌の歌詞を同時に表示することができるという利点を持つ。言い換えれば、ＭＰ３オーディオファイル内に当該歌の歌詞をさらに含むようにデータを変換することにより、メロディーや音声は勿論、音声に該当する歌詞も同時に表示することができる。
【０００５】
例えば、従来のＭＰ３オーディオファイルに歌詞をリンクさせる作業は、次のとおりである。
まず、歌詞を入力することが可能な専用プログラム（エディター）を準備し、歌詞を準備する。このように歌詞が準備された後、当該ＭＰ３オーディオファイルを専用プログラムで読み出してくる。読み出してきたＭＰ３オーディオファイルを再生しながら、再生される毎瞬間に歌詞を同期化させる。このように歌詞が同期化された後、ＬＣＤラインを設定し、ファイルとして格納し、ＭＰ３プレーヤーにコピーしてきて再生する。こうしてＭＰ３オーディオファイルを再生するとき、歌詞がＬＣＤ窓に同時に表示される。ところが、前述した方式は、各ＭＰ３オーディオファイルに全て歌詞をリンクさせる作業を行わなければならないため、一般人が作業し難いという問題点があった。
【０００６】
かかる問題点を解消するために、歌詞を提供するサービスが施行されている。このサービスは、インターネットを介して歌詞を提供し、提供された歌詞データが当該ＭＰ３オーディオファイルにリンクされてＭＰ３プレーヤーまたはパーソナルコンピュータなどで再生される。
【０００７】
ところが、この種の歌詞提供サービスは、根本的に欠点を持っている。すなわち、同一の曲名を持ったＭＰ３オーディオファイルの場合でも、再生時間が異なるか、或いは歌った歌手が異なることが多く発生する。
【０００８】
図７は、曲名「Ｉｍａｇｉｎｅ」に対する相異なる再生時間を持ったＭＰ３オーディオファイルのリスト例である。同一の歌手（すなわち、レノン）が歌った曲でも、アルバムに収録された曲、ライブアルバム、アンプラグド、ライブクラシックなどの様々な曲が存在している。このようなそれぞれの場合の再生の際に歌詞の位置が異なるため、たとえ同一の曲名を持ったＭＰ３オーディオファイルの場合でも、一律的に歌詞を適用することが難しいという問題点があった。
【発明を実施するための最良の形態】
【０００９】
本発明は、かかる問題点を解決するためのもので、その目的は、演奏時間が異なる同一曲名の多数のデジタルオーディオファイルのそれぞれに対して、オーディオファイルの歌詞に正確に同期化された歌詞データを提供することが可能なデジタルオーディオファイルの歌詞提供システムを提供することにある。
上記目的を達成するために、本発明は、多数のデジタルオーディオファイルの中から任意のデジタルオーディオファイルを選択し、選択されたデジタルオーディオファイルのＩＤタグ情報及び再生時間情報を含むタグ情報を伝送するための少なくとも一つの端末機と、前記端末機から受信されたデジタルオーディオファイルのタグ情報を用いて、当該デジタルオーディオファイルに適した歌詞データを検索し、検索された歌詞データを端末機に伝送するためのサーバーと、多数のデジタルオーディオファイルそれぞれに対して予め同期化されており、各デジタルファイルのＩＤタグ情報及び再生時間情報に基づいて分類されている歌詞データを格納し、前記サーバーからの要請に応えて特定の歌詞データを伝送するためのデータベースサーバーとを含むことを特徴とする、デジタルオーディオファイルの歌詞提供システムを提供する。
このように本発明によれば、多数のデジタルオーディオファイルそれぞれに対応して、正確に同期化された歌詞データを提供することができる。
【実施例】
【００１０】
以下に添付図面を参照しながら、本発明のデジタルオーディオファイルの歌詞提供システムについて詳細に説明する。
図１は本発明に係る歌詞提供システムの概略接続状態図である。図１に示すように、インターネット通信網を介して接続される少なくとも一つの端末機１０、１０'と、サーバー２０及びデータベースサーバー３０とが接続されている。説明の便宜上、一つの端末機１０を用い、デジタルオーディオファイルとしてＭＰ３オーディオファイルを使用する場合を例として説明する。
【００１１】
前記端末機１０は、任意のＭＰ３デジタルオーディオファイルを選択し、選択された当該ＭＰ３オーディオファイルに設定された歌詞データをダウンロードするために、サーバー２０にタグ情報を伝送する。また、要請した歌詞データがサーバー２０から伝送されると、当該ＭＰ３オーディオファイルに歌詞をリンクさせる機能を行う。サーバー２０に伝送されるＭＰ３オーディオファイルのタグ情報は、当該ＭＰ３オーディオファイルから抽出される。
【００１２】
本発明によれば、前記タグ情報には「ＩＤタグ情報」、「ファイル名」及び「再生時間情報」が含まれている。勿論、他の情報をさらに含むことができる。ＩＤタグ情報とは、例えば歌の曲名や歌手、製作年度、ジャンルなど、当該ＭＰ３に関して記録された情報をいい、オフライン上で作業者によって入力される。
【００１３】
前記ＭＰ３オーディオファイルは、端末機１０に予め格納されているもの、或いは端末機１０'に接続されたＭＰ３プレーヤー４０に格納されているものを使用することができる。特に、ＭＰ３プレーヤー４０は、端末機１０とＵＳＢポート、シリアルポート、ＩＥＥＥ １３９４ポート、またはブルートゥースなどの無線通信を用いて接続され、この無線通信を介して、ＭＰ３プレーヤー４０に格納されているＭＰ３オーディオファイルに対する情報データ及び歌詞データが伝送される。勿論、ＭＰ３プレーヤー４０がインターネットを介して単独でサーバー２０に接続されることも可能である。
【００１４】
また、本発明では、前記ＭＰ３オーディオファイルが、端末機１０またはＭＰ３プレーヤー４０に存在せず、インターネットを介して接続された他のコンピュータまたはサーバーに存在するオーディオファイルである場合にも、当該オーディオファイルを指定し歌詞データを要請すると、当該ＭＰ３オーディオファイルの伝送と共に歌詞データが伝送されてリンクできる。
【００１５】
本発明に係る端末機１０は、有無線インターネット通信網と接続される例えばパーソナルコンピュータ、携帯電話、ＰＤＡなど、ＭＰ３デジタルオーディオファイルを再生することが可能な装置のいずれであってもよい。
【００１６】
前記端末機１０の構造は、図２に示すように、端末機１０またはＭＰ３プレーヤー４０に格納されているＭＰ３デジタルオーディオファイルの中から、歌詞の伝送を受けるデジタルオーディオファイルを選択するためのオーディオファイル選択モジュール１１と、前記オーディオファイル選択モジュール１１によって選択されたデジタルオーディオファイルのタグ情報を抽出するためのタグ情報検出モジュール１２と、前記タグ情報検出モジュール１２によって抽出されたタグ情報をインターネットを介してサーバー２０に伝送し、サーバー２０から歌詞データを伝送されるためのデータ伝送モジュール１３と、前記サーバー２０から伝送された歌詞データを当該デジタルオーディオファイルとリンクさせるための歌詞データリンクモジュール１４とを含んでいる。
【００１７】
また、本発明に係るサーバー２０は、前記端末機１０から伝送されたタグ情報を用いて、当該ＭＰ３オーディオファイルに指定された歌詞データを検出し、歌詞データを要請した端末機に伝送する。
この際、サーバー２０では、従来のオーディオファイルに既に含まれているＩＤタグ情報のみならず、再生時間情報を用いてＭＰ３オーディオファイルを検出するため、歌詞の出力状態と歌手の音声が同期化された歌詞データを正確に検索することができる。このように検索された歌詞データファイルは、これを要請した端末機１０に伝送される。
【００１８】
前記サーバー２０は、図３に示すように、端末機１０から伝送されるタグ情報を受信し且つ端末機１０に歌詞データファイルを伝送するデータ伝送モジュール２１と、前記データ伝送モジュール２１から入力されるタグ情報を読み出すためのタグ情報確認モジュール２２と、前記タグ情報確認モジュール２２によって確認されたデジタルオーディオファイルに設定されている歌詞データファイルの検索を要請する歌詞データ検出モジュール２３とを含む。
【００１９】
また、データベースサーバー３０は、前記サーバー２０からの要請によって格納されている歌詞データファイルの中から当該ファイルを抽出してサーバー２０に伝送する。データベースサーバー３０に格納される歌詞データは、予めＩＤタグ情報、曲名、再生時間情報などによってそれぞれ歌詞が同期化されたものである。
【００２０】
次に、このような構成を持った本発明のデジタルオーディオファイルの歌詞提供システムの作動状態を図４〜図７を参照して説明する。
まず、ユーザは、端末機１０上でＭＰ３オーディオファイルを選択する。選択画面の一例が図４に示されている。図４を参照すると、「Ｉｍａｇｉｎｅ．ｍｐ３」という曲名を持ったＭＰ３オーディオファイルが表示されている。また、表示されたファイルに対する再生時間、歌手、題目などの情報が同時に表示される。このようにＭＰ３オーディオファイルが選択された状態で側方の「ファイル選択」ボタンを押すと、当該ファイルの選択が完了する。
【００２１】
「歌詞検索」及び「歌詞のダウンロード及び保存」モードは、ユーザの持っているＭＰ３オーディオファイルに対する情報がないとき、サーバー２０から当該歌手と曲目のデータを伝送して表示するためのものである。このようなメニューによってユーザが容易に歌詞データを選択しダウンロードすることができる。これについては、曲名／歌手選択モジュールと関連して詳述する。
【００２２】
前述したように端末機１０でＭＰ３オーディオファイルを選択し、伝送命令を入力させると、図５に示すように、選択されたＭＰ３オーディオファイルに対するタグ情報を検出してサーバー２０に伝送する。サーバー２０は、端末機１０から入力されたＭＰ３オーディオファイルのタグ情報に含まれているＩＤタグ情報、ファイル名（曲名）及び再生時間情報を用いてＭＰ３オーディオファイルを確認する。
【００２３】
確認の後、サーバー２０は、ＭＰ３オーディオファイルに該当する歌詞データをデータベースサーバー３０から検索する。データベースサーバー３０は、サーバー２０から入力されたＩＤタグ情報、ファイル名（曲名）及び再生時間情報に基づいて、当該ＭＰ３オーディオファイルに該当する歌詞データを読み出し、サーバー２０に伝送する。
【００２４】
前記歌詞データは、予め編集されたものであって、それぞれのＭＰ３オーディオファイルに対して全て割り当てられている。このような編集作業は、オフラインで作業者によって行われる作業である。それぞれのＭＰ３オーディオファイルに対して編集された歌詞データは、データベースサーバー３０に分類、格納される。
【００２５】
サーバー２０では、データベースサーバー３０から歌詞データが伝送されると、これを端末機１０に伝送する。端末機１０では、歌詞データが伝送されると、これを受信して格納した後、当該ＭＰ３オーディオファイルとリンクさせる。このようにリンクされることにより、ＭＰ３オーディオファイルの再生の際に歌詞が表示窓に出力される。前記リンクされた歌詞データは、当該ＭＰ３オーディオファイルを他のコンピュータまたはＭＰ３プレーヤー４０に伝送するとき、同時に含まれて伝送される。
【００２６】
一方、前記端末機１０から伝送されたタグ情報にＩＤタグ情報が含まれない場合が発生しうる。このような場合が発生すると、図６に示すように、サーバー２０ではＭＰ３オーディオファイルを確認することができないので、サーバー２０では、該当曲名と類似の曲名／歌手のリストからなる曲名／歌手データを端末機１０に伝送する。この際、曲名／歌手に対するデータ伝送は、曲名／歌手データ伝送モジュール２４によって行われる。
【００２７】
このように伝送された曲名／歌手が図４に示されているように表示されている。ユーザは、表示された曲名／歌手リストから、自分保有のＭＰ３オーディオファイルに該当する事項を選択し伝送する。このように曲名／歌手を表示するためのものとして、曲名／歌手選択モジュール１５が端末機１０にさらに含まれている。
【００２８】
ユーザが端末機１０から伝送した情報は、サーバー２０によって受信され、当該曲に対する歌詞データを検出して端末機１０に伝送する。それと同時に当該曲に対するＩＤタグ情報を伝送する。
【００２９】
サーバー２０からデータの伝送を受けた端末機１０は、ＭＰ３オーディオファイルにＩＤタグを含ませ、歌詞データをリンクさせる。このようにリンクされた後、ＭＰ３オーディオファイルを再生させると、歌詞が表示窓に出力される。
本発明では、ユーザの端末機またはＭＰ３プレーヤーに格納されているＭＰ３オーディオファイルに対する歌詞データの提供について説明した。ところが、ユーザ端末機ではなく他のコンピュータまたはサーバーから提供するＭＰ３オーディオファイルの場合にも同様に適用可能である。
【００３０】
この場合には、図４に示した「ファイル選択及びファイル情報」の項目から他のコンピュータまたはサーバーに存在するＭＰ３オーディオファイルを選択すると、当該ＭＰ３オーディオファイルをユーザの端末機１０にダウンロードすると同時に歌詞データをダウンロードするために、サーバー２０にタグ情報を伝送する。
【００３１】
当該ＭＰ３オーディオファイルと歌詞データの伝送が完了すると、端末機１０では、ＭＰ３オーディオファイルに歌詞データをリンクさせて作業を完了する。
本発明では、ＭＰ３オーディオファイルを例として説明したが、ｗｍａ、ｒｍなどのデジタルオーディオファイルも本発明の方法によって同様に適用できる。
【産業上の利用可能性】
【００３２】
上述した本発明によれば、演奏時間が異なる同一曲名の多数のデジタルオーディオファイルのそれぞれに対して、オーディオファイルの歌詞に正確に同期化された歌詞データを提供することができる。
【００３３】
以上、本発明の好適な実施例について説明したが、本発明の本旨を遺脱しない範囲内において種々変形を加え得ることは勿論である。
【図面の簡単な説明】
【００３４】
【図１】は本発明に係る歌詞提供システムの概略構成図である。
【図２】は本発明に係る端末機のブロック構成図である。
【図３】は本発明に係るサーバーのブロック構成図である。
【図４】は本発明に係るデジタルオーディオファイル選択画面の一実施例を示す図である。
【図５】は本発明に係る歌詞提供システムの作動状態を示す流れ図である。
【図６】は本発明に係る歌詞提供システムの付加的な作動状態を示す流れ図である。
【図７】は同一の曲名／歌手の曲目表示リストの一例を示す図である。
【図１】
2007522591.tif 000003
【図２】
2007522591.tif 000004
【図３】
2007522591.tif 000005
【図４】
2007522591.tif 000006
【図５】
2007522591.tif 000007
【図６】
2007522591.tif 000008
【図７】
2007522591.tif 000009
【国際調査報告】
2007522591.tif 000010
2007522591.tif 000011
2007522591.tif 000012